(57)【要約】血中グルコースメータで得られたグルコースデータを提示する方法を提供する。この方法では、有効食事平均（ＥＭＡ：ｅｆｆｅｃｔｉｖｅ  ｍｅａｌ  ａｖｅｒａｇｅ）が提示され（５００）、その後、ＥＭＡを構成する個々の値が提示されて（５１０−５３０）、インシュリン投与量を変更する必要のある患者に改善されたフィードバックデータを提供する。ＥＭＡには、その構成値の変動性の測量を含めることができる。ＥＭＡには、指定時刻（例えば、指定された食事時間の１時間前および１時間後）に発生する値が含まれる。ＥＭＡは、計算時点より前の限られた日数（例えば３日間）にわたって計算され、その日時範囲内に得られるはずの最小数の値を有する。アルゴリズムによって、平均値からいずれか所与の読み値を除外することができる。患者は、いずれか所与の日付範囲に、１つから８つのＥＭＡ（例えば、好ましくは４つ、すなわち、朝食、昼食、夕食、および就寝前の軽食）を使用することができる。
2005537889.tif 000002
【特許請求の範囲】
【請求項１】
医療データレベル監視デバイスを使用して患者の医療データレベルを報知する方法であって、
医療データレベルを、そのそれぞれが取得された対応する日時とともに格納するステップと、
格納済みの前記医療データレベルから選択される少なくとも第１の医療データレベルおよび第２の医療データレベルから平均医療データレベルを計算するステップと、
前記平均医療データレベルを報知するステップと、
前記第１の医療データレベルを報知させる第１のユーザ入力を受け取るステップと、
前記第１の医療データレベルを報知するステップと、
前記第２の医療データレベルを報知させる第２のユーザ入力を受け取るステップと、
前記第２の医療データレベルを報知するステップと
を備えることを特徴とする方法。
【請求項２】
前記平均医療データレベル、前記第１の医療データレベル、および前記第２の医療データレベルをそれぞれ報知する、３つの報知ステップは、それぞれ、ディスプレイデバイス上で表示すること、およびスピーカを介して可聴音を生成することのうちの１つによって実施できる
ことを特徴とする請求項１に記載の方法。
【請求項３】
前記医療データレベルは、血中グルコースレベルであり、前記医療データレベル監視デバイスは、血中グルコースメータである
ことを特徴とする請求項１に記載の方法。
【請求項４】
データ値を報知させる第３ユーザ入力を受け取るステップと、
前記平均医療データレベルを報知するステップと
をさらに備えることを特徴とする請求項１に記載の方法。
【請求項５】
前記平均医療データレベルの計算は、ｎ個の前記格納済み医療データレベルを使用しており、ｎは、２よりも大きい整数であり、前記ｎ個の格納済み医療データレベルは、前記第１の医療データレベルと前記第２の医療データレベルとを含む
ことを特徴とする請求項１に記載の方法。
【請求項６】
前記ｎ個の格納済み医療データレベル間の変動性を示す変動指標を報知するステップ
をさらに備えることを特徴とする請求項５に記載の方法。
【請求項７】
前記変動指標は、スカラ値、および標準偏差と分散係数とから成る群から選択される統計パラメータのうちの、少なくとも１つである
ことを特徴とする請求項６に記載の方法。
【請求項８】
前記ｎ個の格納済み医療データレベルは、前記平均医療データレベルの構成値と見なされ、
前記第１の医療データレベルおよび前記第２の医療データレベルの後に前記ｎ個の格納済み医療データレベルの中から次の医療データレベルを報知させるさらなるユーザ入力を受け取るステップと、
前記次の医療データレベルを報知するステップと、
前記構成値それぞれが報知されるまで、前記ｎ個の医療データレベルの中から次の医療データレベルを報知させるさらなるユーザ入力を受け取って前記次の医療データレベルを報知するステップを繰り返すステップと
をさらに備えることを特徴とする請求項５に記載の方法。
【請求項９】
前記繰返しステップは、前記構成値のうちの最後の医療データレベルが報知された後に前記平均医療データレベルを報知するステップを含む
ことを特徴とする請求項８に記載の方法。
【請求項１０】
前記平均医療データレベルおよび前記構成値は、ディスプレイ画面上に表示され、前記ディスプレイ画面は、前記平均医療データレベルおよび前記構成値のうちの１つを表示する第１の領域と、前記ｎ個の格納済み医療データレベルそれぞれに対応するｎ個のインジケータを備えるように構成された第２の領域とを含む
ことを特徴とする請求項５に記載の方法。
【請求項１１】
前記第１の領域が前記平均医療データレベルを表示しているときに、前記ｎ個のインジケータそれぞれを非点灯アイテムとして表示し、前記ｎ個の医療データレベルのうちの１つが構成値の１つとして表示されているときに、前記ｎ個のインジケータのうちその医療データレベルに対応するものを点灯させるステップ
をさらに備えることを特徴とする請求項１０に記載の方法。
【請求項１２】
前記ディスプレイ画面は、日時を表示する第３領域を含んでおり、
前記ｎ個の格納済み医療データレベルのうちの１つが構成値として前記第１の領域に表示されているときに、その医療データレベルとともに格納された対応する日時を前記第３領域に表示するステップをさらに備える
ことを特徴とする請求項１０に記載の方法。
【請求項１３】
前記計算ステップは、前記平均医療データレベルの決定に使用される格納済み医療データレベルを、その格納済み医療データレベルが取得された日時に基づいて選択するステップを含む
ことを特徴とする請求項１に記載の方法。
【請求項１４】
前記計算ステップは、選択された日数のそれぞれの日において前記平均医療データレベルが望まれる、１日のうちのある時間帯を規定するステップをさらに含む
ことを特徴とする請求項１３に記載の方法。
【請求項１５】
前記選択された日数は、３日である
ことを特徴とする請求項１４に記載の方法。
【請求項１６】
前記計算ステップは、
その日から始まる選択された日数にわたる前記時間帯の平均医療データレベルを要求するユーザ入力を受け取るステップと、
その日に既に前記時間帯に入っているか、または前記時間帯が過ぎているかどうか判定するステップと、
その日に既に前記時間帯に入っているか、または前記時間帯が過ぎていた場合、前記平均医療データレベルを決定するときに、その日の前記時間帯に取得された医療データレベルの読み値を使用するステップと、
その日にまだ前記時間帯がきていない場合、前記平均医療データレベルを判定するときに、その前日に取得された格納済み医療データレベルを選択するステップと
をさらに備えることを特徴とする請求項１４に記載の方法。
【請求項１７】
前記使用ステップは、その日の前記時間帯に取得された複数の読み値の最初のものおよび最新のもののうちの１つをそれらの各時刻に基づいて選択するステップをさらに含む
ことを特徴とする請求項１６に記載の方法。
【請求項１８】
前記選択ステップは、その前日の前記時間帯に取得された複数の読み値の最初のものおよび最新のもののうちの１つをそれらの各時刻に基づいて選択するステップをさらに含む
ことを特徴とする請求項１６に記載の方法。
【請求項１９】
前記使用ステップは、その日の前記時間帯に得られた利用できる有効な医療データレベルがない場合、その前日に得られた格納済み医療データレベルを使用するステップをさらに含んでおり、前記選択ステップは、その前日の前記時間帯に得られた利用できる有効な医療データレベルがない場合、そのさらに前の日に得られた格納済み医療データレベルを使用するステップをさらに含む
ことを特徴とする請求項１６に記載の方法。
【請求項２０】
前記計算ステップは、その日に得られた利用できる有効な医療データレベルがない場合、その日より前の選択された最大日数から得られた格納済み医療データレベルを使用するステップをさらに含む
ことを特徴とする請求項１６に記載の方法。
【請求項２１】
前記選択された最大日数は、５日である
ことを特徴とする請求項２０に記載の方法。
【請求項２２】
患者の体調を監視する装置であって、
前記患者について選択された医療データレベルを測定する読取り装置と、
複数の医療データレベルを、それらが取得された各日時と併せて格納するメモリデバイスと、
アナンシエータと、
ユーザ入力デバイスと、
前記読取り装置、前記メモリデバイス、前記アナンシエータ、および前記ユーザ入力デバイスに接続された処理デバイスであって、前記メモリデバイスに格納された医療データレベルから選択される少なくとも第１の医療データレベルおよび第２の医療データレベルから平均医療データレベルを計算し、前記アナンシエータを介して前記平均医療データレベルを報知し、前記ユーザ入力デバイスから前記第１の医療データレベルを報知させる第１のユーザ入力を受け取り、前記第１のユーザ入力に応答して前記第１の医療データレベルを報知し、前記ユーザ入力デバイスから前記第２の医療データレベルを報知させる第２のユーザ入力を受け取り、前記第２のユーザ入力に応答して前記第２の医療データレベルを報知するようにプログラム可能な処理デバイスと
を備えたことを特徴とする装置。
【請求項２３】
前記アナンシエータは、ディスプレイデバイスおよびスピーカのうちの少なくとも１つであり、前記処理デバイスは、前記ディスプレイデバイス上で表示すること、および前記スピーカを介して可聴音を生成することのうちの１つによって報知するように動作可能である
ことを特徴とする請求項２２に記載の装置。
【請求項２４】
前記医療データレベルは、血中グルコースレベルであり、前記装置は、血中グルコースメータである
ことを特徴とする請求項２２に記載の装置。
【請求項２５】
前記処理デバイスは、さらに、前記ユーザ入力デバイスを介してデータ値を報知させる第３ユーザ入力を受け取って前記平均医療データレベルを報知するようにプログラム可能である
ことを特徴とする請求項２２に記載の装置。
【請求項２６】
前記処理デバイスは、ｎ個の前記格納済み医療データレベルを使用して平均医療データレベルを計算するようにプログラム可能であり、ｎは、２よりも大きい整数であり、前記ｎ個の格納済み医療データレベルは、前記第１の医療データレベルと前記第２の医療データレベルとを含む
ことを特徴とする請求項２２に記載の装置。
【請求項２７】
前記処理デバイスは、前記ｎ個の格納済み医療データレベル間の変動性を示す変動指標を判定し、前記アナンシエータを介して前記変動指標を報知するようにプログラム可能である
ことを特徴とする請求項２６に記載の装置。
【請求項２８】
前記変動指標は、スカラ値、および標準偏差と分散係数とから成る群から選択される統計パラメータのうちの、少なくとも１つである
ことを特徴とする請求項２７に記載の装置。
【請求項２９】
前記ｎ個の格納済み医療データレベルは、平均医療データレベルの構成値と見なされ、前記処理デバイスは、さらに、前記ユーザ入力デバイスを介して、前記第１の医療データレベルおよび前記第２の医療データレベルの後に前記ｎ個の医療データレベルの中から次の医療データレベルを報知させるさらなるユーザ入力を受け取って前記さらなるユーザ入力に応答して前記次の医療データレベルを報知し、前記構成値それぞれが前記アナンシエータを介して報知されるまで、前記ｎ個の医療データレベルの中から次の医療データレベルを報知させるさらなるユーザ入力を受け取って前記次の医療データレベルを報知する動作を繰り返すようにプログラム可能である
ことを特徴とする請求項２６に記載の装置。
【請求項３０】
前記処理デバイスは、さらに、前記構成値のうちの最後の医療データレベルが報知された後に前記平均医療データレベルを報知するようにプログラム可能である
ことを特徴とする請求項２９に記載の装置。
【請求項３１】
前記アナンシエータは、ディスプレイ画面であり、前記平均医療データレベルおよび前記構成値は、前記ディスプレイ画面上に表示され、前記ディスプレイ画面は、前記平均医療データレベルおよび前記構成値のうちの１つを表示する第１の領域と、前記ｎ個の医療データレベルそれぞれに対応するｎ個のインジケータを備える
ように構成された第２の領域とを含むことを特徴とする請求項２６に記載の装置。
【請求項３２】
前記処理デバイスは、前記第１の領域が前記平均医療データレベルを表示しているときに、前記ｎ個のインジケータそれぞれを非点灯アイテムとして表示し、前記ｎ個の医療データレベルのうちの１つが構成値の１つとして表示されているときに、前記ｎ個のインジケータのうちその医療データレベルに対応するものを点灯させるようにプログラム可能である
ことを特徴とする請求項３１に記載の装置。
【請求項３３】
前記ディスプレイ画面は、日時を表示する第３領域を含んでおり、前記処理デバイスは、さらに、前記ｎ個の格納済み医療データレベルのうちの１つが構成値として前記第１の領域に表示されているときに、その医療データレベルとともに格納された対応する日時を前記第３領域に表示するようにプログラム可能である
ことを特徴とする請求項３１に記載の装置。
【請求項３４】
前記処理デバイスは、前記平均医療データレベルの判定に使用される格納済み医療データレベルを、その医療データレベルが取得された日時に基づいて選択するようにプログラム可能である
ことを特徴とする請求項２２に記載の装置。
【請求項３５】
前記処理デバイスは、選択された日数のそれぞれの日において前記平均医療データレベルが望まれる、１日のうちのある時間帯を、ユーザが前記ユーザ入力デバイスを介して規定できるようなプロンプトを、前記アナンシエータを介して生成するように動作可能である
ことを特徴とする請求項３４に記載の装置。
【請求項３６】
前記選択された日数は、３日である
ことを特徴とする請求項３５に記載の装置。
【請求項３７】
前記処理デバイスは、さらに、その日から始まる選択された日数にわたる前記時間帯の平均医療データレベルを要求するユーザ入力を受け取り、その日に既に前記時間帯に入っているか、または前記時間帯が過ぎているかどうか判定し、その日に既に前記時間帯に入っているか、または前記時間帯が過ぎていた場合、前記平均医療データレベルを判定するときに、その日の前記時間帯に取得された医療データレベルの読み値を使用し、その日にまだ前記時間帯がきていない場合、前記平均医療データを判定するときに、その前日に取得された格納済み医療データレベルを選択するようにプログラム可能である
ことを特徴とする請求項３５に記載の装置。
【請求項３８】
前記処理デバイスは、その日の前記時間帯に取得された複数の読み値の最初のものおよび最新のもののうちの１つをそれらの各時刻に基づいて選択するようにプログラム可能である
ことを特徴とする請求項３７に記載の装置。
【請求項３９】
前記処理デバイスは、その前日の前記時間帯に取得された複数の読み値の最初のものおよび最新のもののうちの１つをそれらの各時刻に基づいて選択するようにプログラム可能である
ことを特徴とする請求項３７に記載の装置。
【請求項４０】
前記処理デバイスは、その日の前記時間帯に得られた利用できる有効な医療データレベルがない場合、その前日に得られた格納済み医療データレベルを使用し、さらに、前日に取得された格納済み医療データレベルを選択するときには、その前日の前記時間帯に得られた利用できる有効な医療データレベルがない場合、そのさらに前の日に得られた格納済み医療データレベルを使用するようにプログラム可能である
ことを特徴とする請求項３７に記載の装置。
【請求項４１】
前記処理デバイスは、その日に得られた利用できる有効な医療データレベルがない場合、それより前の選択された最大日数から得られた格納済み医療データレベルを使用するようにプログラム可能である
ことを特徴とする請求項３７に記載の装置。
【請求項４２】
前記選択された最大日数は、５日である
ことを特徴とする請求項４１に記載の装置。
【請求項４３】
前記ユーザ入力デバイスは、報知された前記構成値間をそれぞれ前進および後退させてナビゲートするための前進および後退矢印キーを含む
ことを特徴とする請求項２２に記載の装置。
【請求項４４】
血中グルコースメータを使用して血中グルコースレベルを表示する方法であって、
血中グルコースレベルを、そのそれぞれが取得された対応する日時とともに格納するステップと、
構成値として少なくとも３つの格納済み血中グルコースレベルから平均血中グルコースレベルを計算するステップと、
前記血中グルコースメータのディスプレイデバイスを使用して前記平均血中グルコースレベルを表示するステップと、
前記構成値の第１の値を表示させる第１のユーザ入力を受け取るステップと、
前記第１のユーザ入力に応答して前記構成値の第１の値を表示するステップと、
前記構成値の第２の値を表示させる第２のユーザ入力を受け取るステップと、
前記第２のユーザ入力に応答して前記構成値の第２の値を表示するステップと
を備えることを特徴とする方法。
【請求項４５】
前記構成値の第３の値を表示させる第３ユーザ入力を受け取るステップと、
前記第３ユーザ入力に応答して前記構成値の第３の値を表示するステップと、
データ値を表示させるさらなるユーザ入力を受け取るステップと、
前記平均血中グルコースレベルを再び表示するステップと
をさらに備えることを特徴とする請求項４４に記載の方法。
【請求項４６】
前記血中グルコースメータは、表示された様々な構成値間をそれぞれ前進および後退させてナビゲートするための前進および後退矢印キーを含む
ことを特徴とする請求項４５に記載の方法。
【請求項４７】
前記血中グルコースレベル構成値間の変動性を示す変動指標を表示するステップ
をさらに備えることを特徴とする請求項４４に記載の方法。
【請求項４８】
前記変動指標は、スカラ値、および標準偏差と分散係数とから成る群から選択される統計パラメータのうちの、少なくとも１つである
ことを特徴とする請求項４７に記載の方法。
【請求項４９】
前記ディスプレイ画面は、平均血中グルコースレベルおよび前記構成値のうちの１つを表示する第１の領域と、前記３つの構成値のうちの１つにそれぞれ対応する３つのインジケータを備えるように構成された第２の領域とを含む
ことを特徴とする請求項４４に記載の方法。
【請求項５０】
前記第１の領域が前記平均血中グルコースレベルを表示しているときに、前記３つのインジケータそれぞれを非点灯アイテムとして表示し、前記構成値の１つが表示されているときに、前記３つのインジケータのうちその構成値に対応するものを点灯させるステップ
をさらに備えることを特徴とする請求項４９に記載の方法。
【請求項５１】
前記計算ステップは、前記平均血中グルコースレベルの判定に使用される格納済み血中グルコースレベルを、その格納済み血中グルコースレベルが取得された日時に基づいて選択するステップを含む
ことを特徴とする請求項４４に記載の方法。
【請求項５２】
前記計算ステップは、選択された日数のそれぞれの日において前記平均血中グルコースレベルが望まれる、１日のうちのある時間帯を規定するステップをさらに含む
ことを特徴とする請求項４４に記載の方法。
【請求項５３】
前記選択された日数は、３日である
ことを特徴とする請求項５２に記載の方法。
【請求項５４】
前記計算ステップは、
その日から始まる選択された日数にわたる前記時間帯の平均血中グルコースレベルを要求するユーザ入力を受け取るステップと、
その日に既に前記時間帯に入っているか、または前記時間帯が過ぎているかどうか判定するステップと、
その日に既に前記時間帯に入っているか、または前記時間帯が過ぎていた場合、前記平均血中グルコースレベルを判定するときに、その日の前記時間帯に取得された血中グルコースレベルの読み値を使用するステップと、
その日にまだ前記時間帯がきていない場合、前記平均血中グルコースレベルを判定するときに、その前日に取得された格納済み血中グルコースレベルを選択するステップとをさらに含む
ことを特徴とする請求項５２に記載の方法。
【請求項５５】
前記使用ステップは、その日の前記時間帯に取得された複数の読み値の最初のものおよび最新のもののうちの１つをそれらの各時刻に基づいて選択するステップをさらに含む
ことを特徴とする請求項５４に記載の方法。
【請求項５６】
前記選択ステップは、その前日の前記時間帯に取得された複数の読み値の最初のものおよび最新のもののうちの１つをそれらの各時刻に基づいて選択するステップをさらに含む
ことを特徴とする請求項５４に記載の方法。
【請求項５７】
前記使用ステップは、その日の前記時間帯に得られた利用できる有効な血中グルコースレベルがない場合、その前日に得られた格納済み血中グルコースレベルを使用するステップをさらに含んでおり、前記選択ステップは、その前日の前記時間帯に得られた利用できる有効な血中グルコースレベルがない場合、そのさらに前の日に得られた格納済み血中グルコースレベルを使用するステップをさらに含む
ことを特徴とする請求項５４に記載の方法。
【請求項５８】
前記計算ステップは、その日に得られた利用できる有効な血中グルコースレベルがない場合、その日より前の選択された最大日数から得られた格納済み血中グルコースレベルを使用するステップをさらに含む
ことを特徴とする請求項５４に記載の方法。
【請求項５９】
前記選択された最大日数は、５日である
ことを特徴とする請求項５８に記載の方法。
【請求項６０】
血中グルコースメータを使用して血中グルコースレベルを表示する方法であって、
血中グルコースレベルを、そのそれぞれが取得された対応する日時とともに格納するステップと、
構成値として少なくとも３つの格納済み血中グルコースレベルから平均血中グルコースレベルを計算するステップと、
前記血中グルコースメータのディスプレイデバイスを使用して前記平均血中グルコースレベルを表示するステップと、
前記構成値を表示するステップであって、前記平均血中グルコースレベルとほぼ同時の表示と、前記平均血中グルコースレベルおよび前記構成値のそれぞれにラウンドロビン式に形成できる逐次ディスプレイ画面を使用する、平均血中グルコースレベルの後の表示とのうち、少なくとも一方で表示するステップと
を備えることを特徴とする方法。
【請求項６１】
前記血中グルコースレベル構成値間の変動性を示す変動指標を表示するステップ
をさらに備えることを特徴とする請求項６０に記載の方法。
【請求項６２】
前記変動指標は、スカラ値、および標準偏差と分散係数とから成る群から選択される統計パラメータのうちの、少なくとも１つである
ことを特徴とする請求項６１に記載の方法。
【請求項６３】
前記計算ステップは、前記平均血中グルコースレベルの判定に使用される格納済み血中グルコースレベルを、その格納済み血中グルコースレベルが取得された日時に基づいて選択するステップを含む
ことを特徴とする請求項６０に記載の方法。
【請求項６４】
前記計算ステップは、選択された日数のそれぞれの日において前記平均血中グルコースレベルが望まれる、１日のうちのある時間帯を規定するステップをさらに含む
ことを特徴とする請求項６３に記載の方法。
【請求項６５】
前記選択された日数は、３日である
ことを特徴とする請求項６４に記載の方法。
【請求項６６】
前記計算ステップは、
その日から始まる選択された日数にわたる前記時間帯の平均血中グルコースレベルを要求するユーザ入力を受け取るステップと、
その日に既に前記時間帯に入っているか、または前記時間帯が過ぎているかどうか判定するステップと、
その日に既に前記時間帯に入っているか、または前記時間帯が過ぎていた場合、前記平均血中グルコースレベルを判定するときに、その日の前記時間帯に取得された血中グルコースレベルの読み値を使用するステップと、
その日にまだ前記時間帯がきていない場合、前記平均血中グルコースレベルを判定するときに、その前日に取得された格納済み血中グルコースレベルを選択するステップとをさらに含む
ことを特徴とする請求項６４に記載の方法。
【請求項６７】
前記使用ステップは、その日の前記時間帯に取得された複数の読み値の最初のものおよび最新のもののうちの１つをそれらの各時刻に基づいて選択するステップをさらに含む
ことを特徴とする請求項６６に記載の方法。
【請求項６８】
前記選択ステップは、その前日の前記時間帯に取得された複数の読み値の最初のものおよび最新のもののうちの１つをそれらの各時刻に基づいて選択するステップをさらに含む
ことを特徴とする請求項６６に記載の方法。
【請求項６９】
前記使用ステップは、その日の前記時間帯に得られた利用できる有効な血中グルコースレベルがない場合、その前日に得られた格納済み血中グルコースレベルを使用するステップをさらに含んでおり、前記選択ステップは、その前日の前記時間帯に得られた利用できる有効な血中グルコースレベルがない場合、そのさらに前の日に得られた格納済み血中グルコースレベルを使用するステップをさらに含む
ことを特徴とする請求項６６に記載の方法。
【請求項７０】
選択された日数のそれぞれの日において平均血中グルコースレベルが望まれる、１日のうちのｎ個の時間帯を規定するステップであって、ｎは、ｎ＝１、２、．．．８の範囲から選択される整数であるステップと、
前記計算ステップ、前記平均血中グルコースレベルを表示する前記表示ステップ、および前記ｎ個の時間帯のそれぞれについて前記構成値を表示する前記表示ステップを繰り返すステップと
をさらに備えることを特徴とする請求項６４に記載の方法。
【請求項７１】
前記ｎ個の時間帯に、朝食時間、昼食時間、夕食時間、就寝前の軽食時間、食後平均時間、および夜間のいずれかを含めることができる
ことを特徴とする請求項６４に記載の方法。
【発明の詳細な説明】
【技術分野】
【０００１】
本発明は、一般に、糖尿病を管理するための血中グルコースメータ（ｂｌｏｏｄ  ｇｌｕｃｏｓｅ  ｍｅｔｅｒ）およびグルコース監視（ｇｌｕｃｏｓｅ  ｍｏｎｉｔｏｒｉｎｇ）に関し、より詳細には、有効食事平均（ｅｆｆｅｃｔｉｖｅ  ｍｅａｌ  ａｖｅｒａｇｅ）とその構成値、および／または構成値の変動性（ｖａｒｉａｂｉｌｉｔｙ）の尺度を含めて、グルコースデータを都合のよいフォーマットでユーザに提示することに関する。
【背景技術】
【０００２】
数種類の血中グルコース監視システムが市販されており、これらには一般に血中グルコースメータが含まれる。血中グルコースメータは、その内部に挿入される、患者の血液がその上に滴下されたテストストリップを受け取って読み取るように構成することができ、あるいは、例えば皮下で読み取るように適合させることができる。
【０００３】
血中グルコースメータは、一般に、測定された血中グルコース値を、その値が測定された対応する日時などの他のデータと併せて格納するメモリを含む。また血中グルコースメータには、一般に、ディスプレイ画面と、格納されているどの値を表示するかユーザがそれを用いて指定できるユーザ入力ボタンとが設けられている。
【０００４】
一部の血中グルコースメータには、さらに、１日のうちの選択された１つまたは複数の時刻（例えば、朝食時、昼食時、夕食時、および夜間）のグルコースレベルの７日間、１４日間、３０日間の平均値算出など、格納された血中グルコース測定値に関する統計データも提供するものがある。そのような血中グルコースメータの一例が、ＲｏｃｈｅＤｉａｇｎｏｓｔｉｃｓＵＳＡから市販されているＡｃｃｕ−ｃｈｅｃｋメータ、およびＬｉｆｅＳｃａｎから市販されているＯｎｅＴｏｕｃｈメータである。しかし、これらの血中グルコースメータには、患者がそのインシュリン投与量の調整に平均値算出法を使用しているとき、特にその時点での平均血中グルコース値が低すぎるときに、平均値の計算にかかる時間が長すぎるという欠点がある。
【０００５】
ＢａｙｅｒＨｅａｌｔｈｃａｒｅから市販されているＡｓｃｅｎｓｉａＤｅｘ２グルコースメータは、１日に４つの平均値、すなわち、選択された食事時間の前後２時間の時間窓など、特定の時間帯に取得された血中グルコース測定値の平均値を提供する。しかし、既存の血中グルコースメータには、選択されたビン（ｂｉｎ）または期間にわたる平均血中グルコース値が提供されるとともに、平均値の導出に使用された構成値と、任意選択でそれら構成値間の変動性の指標とを便利に入手できるものがない。より詳細に後述するように、インシュリン投与量を調整するときには、食事時間平均（ｍｅａｌｔｉｍｅ  ａｖｅｒａｇｅ）の導出に使用される構成値の変動性の指標または少なくともそれら構成値を知ることが、重要な情報になる。
【０００６】
血中グルコース監視を、メータ読み値を収集して分析し、概要およびグラフによる結果を形成するソフトウェア（例えば、パーソナルコンピュータ（ＰＣ）または携帯情報端末（ＰＤＡ：ｐｅｒｓｏｎａｌ  ｄａｔａ  ａｓｓｉｓｔａｎｔ）にインストールされるもの）を含む糖尿病管理システムと組み合わせて、患者が自身の血中グルコースレベルおよびインシュリン療法（ｉｎｓｕｌｉｎ  ｒｅｇｉｍｅｎ）の傾向を理解するのを支援することができる。しかし、やはりこれらのシステムでも、食事時間または他の指定時間帯の血中グルコースレベル平均値ならびにこれらの平均値を生成するのに使用された構成濃度値を患者が即時かつ便利に入手することができない。例えば、ＬｉｆｅＳｃａｎから市販されているＯｎｅＴｏｕｃｈ糖尿病管理ソフトウェアは、コンピュータで作成されたログブック表で食事時間平均値を提供できるが、平均値の計算に使用された濃度測定値は、別の画面上の別個のグルコース追跡タイムテーブルでしか与えられない。したがって、特定の平均値の構成値がどの値であるか、常に患者に明らかであるとは言えない。このことは、患者が自身のインシュリン投与量に調整が必要かどうか判定しているときには不利である。この問題を次の仮想的状況によって説明する。
【０００７】
一例として、昼食時平均値が１８０ｍｇ／ｄｌで計算され、その構成値が１６２ｍｇ／ｄｌ、２０４ｍｇ／ｄｌ、および１７４ｍｇ／ｄｌであった場合、構成値にほとんど変動がないので、患者は、短時間作用型インシュリンの朝食時投与量を安全に少量増加させることができる。しかし、構成値が大きく変動した（例えば、７５ｍｇ／ｄｌ、２９７ｍｇ／ｄｌ、および１６８ｍｇ／ｄｌであった）場合、患者は、短時間作用型インシュリンの朝食時投与量を、たとえ少量でも、安全に増加させることができない。その代わりに患者は、なぜそれほど大きな変動があったのか、それが食餌療法、運動、またはストレスレベルの変化によるものかどうか、判断する必要がある。
【発明の開示】
【発明が解決しようとする課題】
【０００８】
したがって、患者が、自身のインシュリン療法および他の糖尿病管理法に関する重要かつ適時の決定を下すために、比較的短い時間帯にわたるグルコースレベル平均値およびその平均値が生成された構成値を便利かつ即時に入手できる、グルコース監視デバイスが必要とされている。
【課題を解決するための手段】
【０００９】
本発明の一態様によれば、医療データレベル監視デバイスを使用して患者の医療データレベルを報知（ａｎｎｕｎｃｉａｔｅ）する方法は、（１）医療データレベルを、そのそれぞれが取得された対応する日時とともに格納するステップと、（２）格納済みの医療データレベルから選択される少なくとも第１の医療データレベルおよび第２の医療データレベルから平均医療データレベルを計算するステップと、（３）平均医療データレベルを報知するステップと、（４）第１の医療データレベルを報知させる第１のユーザ入力を受け取るステップと、（５）第１の医療データレベルを報知するステップと、（６）第２の医療データレベルを報知させる第２のユーザ入力を受け取るステップと、（７）第２の医療データレベルを報知するステップとを含む。平均医療データレベル、第１の医療データレベル、および第２の医療データレベルをそれぞれ報知する報知ステップは、それらをディスプレイデバイス上に表示することによって、またはスピーカを介して可聴音を発することによって実施することができる。医療データレベルが血中グルコースレベルであることが好ましく、医療データレベル監視デバイスが血中グルコースメータであることが好ましい。２個よりも多くの医療データレベルを使用することができる。すなわち、ｎ個の医療データレベルであって、ｎが２よりも大きいものを使用することができる。
【００１０】
本発明の他の態様によれば、平均医療データレベルの生成に使用されたｎ個の医療データレベル間の変動性を示す変動指標（ｖａｒｉａｂｉｌｉｔｙ  ｉｎｄｉｃａｔｏｒ）が提供される。この変動指標は、スカラ値および標準偏差と分散係数（ｃｏｅｆｆｉｃｉｅｎｔ  ｏｆ  ｖａｒｉａｎｃｅ）とから成る群から選択される統計パラメータのうちの少なくとも１つである。
【００１１】
本発明の他の態様によれば、平均医療データレベルおよび構成値は、ディスプレイ画面上に表示される。ディスプレイ画面は、平均医療データレベルおよび構成値のうちの１つを表示する第１の領域と、ｎ個の医療データレベルそれぞれに対応するｎ個のインジケータを備えるように構成された第２の領域とを含む。ｎ個のインジケータは、それぞれ、第１の領域が平均医療データレベルを表示しているときに非点灯（ｎｏｎｆｌａｓｈｉｎｇ）アイテムとして表示される。構成値の１つとして第ｎ医療データレベルが表示されているときには、ｎ個のインジケータのうちそれに対応するものが点灯する。ディスプレイ画面は、ｎ個の医療データレベルのうちの１つが構成値として第１の領域に表示されているときにその医療データレベルに対応する日時を表示する、第３領域を含む。
【００１２】
本発明の他の態様によれば、平均値の計算ステップは、平均医療データレベルの決定に使用される格納済み医療データレベルを、その医療データレベルが取得された日時に基づいて選択するステップを含む。ユーザは、選択された日数（例えば、３日が好ましい）のそれぞれの日において平均医療データレベルが望まれる、１日のうちのある時間帯を規定することができる。平均値の計算ステップは、さらに、（１）その日から始まる選択された日数にわたるその時間帯の平均医療データレベルを要求するユーザ入力を受け取るステップと、（２）その日に既にその時間帯に入っているか、またはその時間帯が過ぎているかどうか判定するステップと、（３）その日に既にその時間帯に入っているか、またはその時間帯が過ぎていた場合、平均医療データレベルを決定するときに、その日のその時間帯に取得された医療データレベルの読み値を使用するステップと、（４）その日にまだその時間帯がきていない場合、平均医療データを決定するときに、その前日に取得された格納済み医療データレベルを選択するステップとを含む。使用ステップ（３）は、その日のその時間帯に取得された複数の読み値の最初のもの（ｔｈｅ  ｅａｒｌｉｅｓｔ）および最新のもの（ｔｈｅ  ｍｏｓｔ  ｒｅｃｅｎｔ）のうちの１つをそれらの各時刻に基づいて選択するステップをさらに含む。選択ステップ（４）は、その前日のその時間帯に取得された複数の読み値の最初のものおよび最新のもののうちの１つをそれらの各時刻に基づいて選択するステップをさらに含む。使用ステップ（３）は、その日のその時間帯に得られた利用できる有効な（ｖａｌｉｄ）医療データレベルがない場合、その前日に得られた格納済み医療データレベルを使用するステップをさらに含む。選択ステップ（４）は、その前日のその時間帯に得られた利用できる有効な医療データレベルがない場合、そのさらに前の日に得られた格納済み医療データレベルを使用するステップをさらに含む。
【００１３】
本発明の一実施形態によれば、患者の体調を監視する装置は、（１）患者について選択された医療データレベルを測定する読取り装置（ｒｅａｄｅｒ）と、（２）複数の医療データレベルを、それらが取得された各日時と併せて格納するメモリデバイスと、（３）アナンシエータ（ａｎｎｕｎｃｉａｔｏｒ）と、（４）ユーザ入力デバイスと、（５）読取り装置、メモリデバイス、アナンシエータ、およびユーザ入力デバイスに接続された処理デバイス（ｐｒｏｃｅｓｓｉｎｇ  ｄｅｖｉｃｅ）であって、メモリデバイスに格納された医療データレベルから選択される少なくとも第１の医療データレベルおよび第２の医療データレベルから平均医療データレベルを計算し、アナンシエータを介してその平均医療データレベルを報知し、ユーザ入力デバイスから第１の医療データレベルを報知させる第１のユーザ入力を受け取り、第１のユーザ入力に応答して第１の医療データレベルを報知し、ユーザ入力デバイスから第２の医療データレベルを報知させる第２のユーザ入力を受け取り、第２のユーザ入力に応答して第２の医療データレベルを報知するようにプログラム可能な処理デバイスとを含む。
【００１４】
本発明の他の態様によれば、血中グルコースメータを使用して血中グルコースレベルを表示する方法は、（１）血中グルコースレベルを、そのそれぞれが取得された対応する日時とともに格納するステップと、（２）構成値として少なくとも３つの格納済み血中グルコースレベルから平均血中グルコースレベルを計算するステップと、（３）血中グルコースメータのディスプレイデバイスを使用して平均血中グルコースレベルを表示するステップと、（４）構成値の第１の値を表示させる第１のユーザ入力を受け取るステップと、（５）第１のユーザ入力に応答して構成値の第１の値を表示するステップと、（６）構成値の第２の値を表示させる第２のユーザ入力を受け取るステップと、（７）第２のユーザ入力に応答して構成値の第２の値を表示するステップとを含む。
【００１５】
本発明の他の態様によれば、血中グルコースメータを使用して血中グルコースレベルを表示する方法は、（１）血中グルコースレベルを、そのそれぞれが取得された対応する日時とともに格納するステップと、（２）構成値として少なくとも３つの格納済み血中グルコースレベルから平均血中グルコースレベルを計算するステップと、（３）血中グルコースメータのディスプレイデバイスを使用して平均血中グルコースレベルを表示するステップと、（４）構成値を、平均血中グルコースレベルとほぼ同時に、あるいは平均血中グルコースレベルおよび構成値のそれぞれにラウンドロビン式に形成できる逐次ディスプレイ画面を使用することによって平均血中グルコースレベルの後に、表示するステップとを含む。
【００１６】
本発明の前述および他の目的、利点、ならびに新規特徴は、以下の詳細な説明を添付図面と併せて読めば容易に理解される。
【発明を実施するための最良の形態】
【００１７】
図面全体にわたって、類似の参照番号は、類似の部品およびコンポーネントを指すものと理解される。
【００１８】
本発明によれば、血中グルコースメータ１００は、有効食事時間平均（ＥＭＡ：ｅｆｆｅｃｔｉｖｅ  ｍｅａｌｔｉｍｅ  ａｖｅｒａｇｅ）もしくは他のユーザ規定期間にわたる類似の平均値の判定および表示、平均値の判定に使用された構成値の便利かつ即時の表示、ならびに任意選択で構成値の変動性（例えば、標準偏差値）の判定および表示を含めて、有利な動作を備えている。血中グルコースメータ１００は、本願特許出願人から市販されているＬｏｇｉｃ（商標）血中グルコースモニタおよびＬａｔｉｔｕｄｅ（商標）糖尿病管理システムによって例示される。
【００１９】
図１を参照すると、本発明の血中グルコースメータ１００は、患者の体内のグルコースを監視する血中グルコース検出領域１５０を有する。血中グルコース検出領域１５０は、患者の体内のグルコースを監視する様々な公知の手段を利用することができる。その一方法は、体液中のグルコースを検出する試薬がその上に適用された使い捨てストリップを使用する方法にすることができる。本発明の代替的な実施形態では、検出領域１５０には、患者の体内のグルコースを判定する公知の非侵襲的検出方法を利用することができる。検出領域１５０によるグルコースの検出は、間欠的または連続的なものにすることができる。また血中グルコースメータ１００は、患者が着用可能なように構成することもできる。
【００２０】
図１および図２を参照すると、血中グルコースメータ１００は、また、血中グルコースメータ１００のマイクロプロセッサ１７０（図２）に入っている、またはマイクロプロセッサ１７０によって実行されるメモリデバイス１９０内に格納されている、ソフトウェア／プログラム命令内にプログラムされた様々なメニューを通じて患者に血中グルコースメータ１００内のデータを伝達する、液晶ディスプレイ（ＬＣＤ）または他のタイプのディスプレイデバイス１６０も有する。あるいは、メータ１００は、音声処理デバイスおよびスピーカを介して、血中グルコース値および他の情報を音声で報知することもできる。メモリデバイス１９０は、読取り装置または他の検出デバイス１５０によって測定された血中グルコース値を、様々な情報のうち、それらが測定された日時、平均値の構成値として選択された格納済み血中グルコース値、および平均値や変動性の指標などの計算値と併せて格納することができる。本発明の範囲から逸脱することなく他のメモリ構成も使用できることを理解すべきである。
【００２１】
また、血中グルコースメータ１００は、患者がＬＣＤ１６０上に表示される様々な画面を進ませて血中グルコースメータ１００内の様々なデータを見ることができる、様々な入力ボタン１１０、１２０、１３０を有する。患者は、前進（ｆｏｒｗａｒｄ）ボタン１１０および後退（ｂａｃｋｗａｒｄ）ボタン１２０によって、ＬＣＤ１６０上に示されるメニュー画面を前進および後退させることができる。また、血中グルコースメータ１００上には、ユーザが血中グルコースメータ１００のソフトウェア／プログラム命令によって作成された様々なメニューを入力できるメモリボタン１３０も示されている。少なくとも１つの入力ボタンが必要であるが、異なる機能を備えた１つまたは複数の入力ボタンを含む代替的な実施形態も本発明の範囲内にある。それに応じて、ユーザ入力デバイスの全体が、図２に１８０で示されている。
【００２２】
本発明は、有効食事平均（ＥＭＡ）値が提示された後、その有効食事平均を構成する２つまたはそれ以上の個々の値（以後、構成値と呼ぶ）が提示される、グルコースメータ、モニタ、または連続グルコースセンサ１００によって、糖尿病患者にグルコースデータを有利に提示する。有効食事平均は、平均値とその構成値、および／または変動幅の尺度で構成される。有効食事平均には、指定時刻（以後、有効食事平均時間枠（ｅｆｆｅｃｔｉｖｅ  ｍｅａｌ  ａｖｅｒａｇｅ  ｔｉｍｅｆｒａｍｅ）またはＥＭＡＴと呼ぶ）に発生するそれらの値が含まれる。ＥＭＡＴは、例えば、指定された食事時間の前後各１時間にすることができるが、食事前後の時間の長さを異なるものにすることもでき（例えば、３０分または３時間まで）、あるいは午前１０時から午後２時までなど、指定された間隔にすることもできる。また、平均値は、食後のある時間枠に関するものにすることもできる。有効食事平均は、計算時点より前の限られた日数にわたって計算され、計算には１３日間程度まで含めることができるが、３日間にわたって計算されることが好ましい。ＥＭＡは、その日時範囲内に得られるはずの最小数の値を有しており、２つ程度の少ない数の値またはその日数範囲に測定されたすべての値に基づいたものにすることもできるが、３つの値が好ましい。また、マイクロプロセッサ１７０は、いずれか所与の読み値を平均値から除外するアルゴリズムも使用している。例えば、食事の後に取得された値（すなわち、食後値）または指定時間範囲内に実施された対照溶液の読み値を含めることを患者が望まない場合がある。患者は、いずれか所与の日数範囲において１つから８つまでの有効食事平均を使用できるが、決められた４つのＥＭＡ、例えば、朝食、昼食、夕食、および就寝前の軽食時間帯のＥＭＡを使用することが好ましい。食後平均値および真夜中の平均値について、さらに４つの平均値を使用することができる。有効食事平均は、インシュリンを使用し、そのインシュリン投与量を変更する必要のある糖尿病患者による臨床的判断に関する、改善されたフィードバックデータを提供する。
【００２３】
本発明の利点について、以下の実施例によって説明する。
【実施例１】
【００２４】
昼食時ＥＭＡが１８０ｍｇ／ｄｌで計算され、ＬＣＤ１６０上に表示される。ＥＭＡの構成値は、１６２ｍｇ／ｄｌ、２０４ｍｇ／ｄｌ、および１７４ｍｇ／ｄｌであり、これらが血中グルコースメータ１００のＬＣＤ１６０上で患者に表示される。ＥＭＡおよび構成値が、それぞれに１つの値が表示される一連の画面を介して表示されることが好ましく、これについては図６および図７に関して後述する。ディスプレイを異なるグルーピングのＥＭＡおよびその構成値で形成でき、それがやはり本発明の範囲内にあることを理解すべきである。ＥＭＡが１８０であり、個々の値が１６２、２０４、および１７４で、ほとんど変動がないので、患者は、短時間作用型インシュリンの朝食時投与量を少量、例えば１単位、安全に増加させることができる。
【実施例２】
【００２５】
昼食時ＥＭＡが１８０ｍｇ／ｄｌで計算される。ＥＭＡの構成値は、７５ｍｇ／ｄｌ、２９７ｍｇ／ｄｌ、および１６８ｍｇ／ｄｌであり、これらが好ましくは一連の画面を介して、血中グルコースメータ１００のＬＣＤ１６０上で患者に表示される。ＥＭＡが１８０であり、個々の値が７５、２９７、および１６８で、大きな変動があるので、患者は、短時間作用型インシュリンの朝食時投与量を、１単位などの少量でも、安全に増加させることができない。その後患者は、なぜそれほど大きな変動があるのか、それが食餌療法、運動、またはストレスレベルの変化によるものかどうか、判定することができる。
【実施例３】
【００２６】
昼食時ＥＭＡが１８０ｍｇ／ｄｌで計算される。ＥＭＡの構成値は、１６２ｍｇ／ｄｌ、２０４ｍｇ／ｄｌ、および１７４ｍｇ／ｄｌであり、これらがＥＭＡ指標（例えば、標準偏差）と併せて、血中グルコースメータ１００のＬＣＤ１６０上で患者に表示される。ＥＭＡが１８０であり、個々の値が１６２、２０４、および１７４で、ＥＭＡ指標によって示されるようにほとんど変動がないので、患者は、短時間作用型インシュリンの朝食時投与量を少量、例えば１単位、安全に増加させることができる。
【実施例４】
【００２７】
昼食時ＥＭＡが１８０ｍｇ／ｄｌで計算される。ＥＭＡの構成値は、７５ｍｇ／ｄｌ、２９７ｍｇ／ｄｌ、および１６８ｍｇ／ｄｌであり、これらがＥＭＡ指標（例えば、標準偏差）と併せて、血中グルコースメータ１００のＬＣＤ１６０上で患者に表示される。ＥＭＡが１８０であり、個々の値が７５、２９７、および１６８で、ＥＭＡ指標によって示されるように大きな変動があるので、患者は、短時間作用型インシュリンの朝食時投与量を、１単位などの少量でも、安全に増加させることができない。その後患者は、なぜそれほど多くの変動があるのか、それが食餌療法、運動、またはストレスレベルの変化によるものかどうか、判定することができる。
【００２８】
前述の実施例によって示唆されるように、本発明の一態様によれば、ＥＭＡは、特定の（すなわち、時間および他の基準に関して）血中グルコースの一連の測定値の平均値、ならびにその平均値を構成する値から成る配列である。本発明の他の実施形態によれば、ＥＭＡは、特定の（すなわち、時間および他の基準に関して）血中グルコースの一連の測定値の平均値、ならびに特定の測定値の変動性の指標である。
【００２９】
上記の背景技術の項で言及したＧｌｕｃｏｍｅｔｅｒＤＥＸ２などの先行技術のデバイスは、ユーザが設定可能な特定の時間についての平均値を生成するが、特定の時間内の読み値に固有の変動性の指標を患者に与えない。したがって、患者がデータに基づいた臨床的判断を下すことができない。患者は、過去１４日間の読み値の平均値しか入手できず、インシュリン投与の変化量に関する判断を誤る可能性がある。対照的に、本発明は、有利には、データの変動性の範囲を伝達する。本発明は、患者がグルコース読み値の平均値と、その平均値の生成に使用された構成値と、任意選択で、問題となっている期間（例えば、有効食事平均時間枠）にわたる読み値の変動性の指標とを入手できるような形式でデータを提示する装置および方法を提供する。また、本発明の他の有利な態様によれば、レビューされるデータの期間が、既存の血中グルコース監視デバイスよりもはるかに短いので、既存のデバイスで提供される移動平均でなく、より新しい、関連性のあるデータに基づいた臨床的判断が可能になる。
【００３０】
ここで図３を参照すると、３４０で示された、ＥＭＡまたは構成値あるいは他の血中グルコース測定データポイントを表示するＬＣＤまたは他のディスプレイデバイス１６０のディスプレイ構成の一例が描かれている。また、ＬＣＤ１６０上には、第１のインジケータブロック３１０、第２のインジケータブロック３２０、および第３インジケータブロック３３０も示されている。時刻値３５０は、データ値３４０によって表されるグルコース測定の時刻を表示する。任意選択で、３６０に示すような日付値を設けることができる。前述したように、ディスプレイを異なるグルーピングのＥＭＡおよびその構成値で形成でき、それがやはり本発明の範囲内にあることを理解すべきである。
【００３１】
図３および図５を参照すると、ＥＭＡであることを示すために、インジケータブロック３１０、３２０、３３０がすべて点灯せずに表示されている。図５にボックス５１０で示したように、ＥＭＡの第１の構成値がデータ値３４０として表示されるときには、第１の構成値の測定時刻が時刻値３５０として表示され、第１のインジケータブロック３１０が点灯する。図５にボックス５２０で示したように、ＥＭＡの第２の構成値がデータ値３４０として表示されるときには、第２の構成値の測定時刻が時刻値３５０として表示され、第２のインジケータブロック３２０が点灯する。図５にボックス５３０で示したように、ＥＭＡの第３構成値がデータ値３４０として表示されるときには、第３構成値の測定時刻が時刻値３５０として表示され、第３インジケータブロック３３０が点灯する。
【００３２】
図４は、マイクロプロセッサ１７０によるＥＭＡ構成値を選択する動作シーケンスを示すフローチャートである。メータ１００のソフトウェア／プログラム命令は、ＥＭＡ計算モードに入る。メモリデバイス１９０に格納されたデータなど、格納されたデータ（ステップ４２０）から、単一のデータポイントが読み取られる（ステップ４１０）。格納されたデータが、血中グルコースの測定値を表す値と各測定値についての関連タイムコード情報との配列、および他の様々なフラグであることが好ましい。各データポイントは、特定のＥＭＡ計算で使用される適合性についてデータポイントを検査する基準と比較される（ステップ４３０）。これらの基準には、他の様々な基準のうち、所望のＥＭＡＴに対応する特定の時間枠、日付情報、キャリブレーションチェック情報、食後測定値、および特別にユーザがフラグを付けた値に対応する、値およびフラグを含めることができる。データポイントをＥＭＡの構成値として使用するには、データポイントが、キャリブレーションチェックおよびユーザが特にフラグを付けたものでなく、ＥＭＡＴおよび食前測定値内にあることが好ましい。ステップ４３０で基準を満たすデータポイントが見つかった後、ソフトウェア／プログラム命令は、そのデータポイントを４５０に示した対応するバッファに格納する準備をする（ステップ４４０）。このプロセスは、ｎ個のＥＭＡ構成値が構成値バッファ４５０に格納されるまでｎ回繰り返される（ステップ４６０）。ここで、ｎは、例えば２から１４までにすることができるが、３がより好ましい。ｎの値が選択されたら、ソフトウェア／プログラム命令を実行するマイクロプロセッサ１７０が、構成値バッファ４５０内の構成値の母数（ｐｏｐｕｌａｔｉｏｎ  ｐａｒａｍｅｔｅｒ）を計算し（ステップ４７０）、その母数を４９０に示した母数バッファに格納する（ステップ４８０）。少なくとも母数バッファ４９０には、構成値４５０の平均値が含まれる。母数バッファ４９０には、さらに、構成値４５０の標準偏差、または構成値４５０の変動を表す他の統計パラメータ（例えば、スカラ値、分散係数など）を含めることができる。
【００３３】
図５に示したように、一連のメニュー画面が血中グルコースメータ１００のＬＣＤ１６０に表示されることが好ましい。有効食事時間平均は、ＬＣＤ１６０を介して患者に伝達される。患者は、入力ボタン１１０、１２０、１３０を押し下げることによって、ＬＣＤ１６０上に表示されたメニューをナビゲートする。図５では、有効食事平均画面がボックス５００によって描かれている。有効食事平均画面５００に、有効食事平均時間枠についての読み値の平均値が表示された後、ユーザは、後退ボタン１２０を押し下げて、ボックス５１０で示した有効食事平均の第１の構成値画面に到達することによって、有効食事平均を含むデータ値を見ることができる。ユーザが前進ボタン１１０を押し下げた場合、ＬＣＤ１６０は、有効食事平均画面５００を再び表示する。有効食事平均の第１の構成値画面５１０のときに、ユーザが後退ボタン１２０を押し下げた場合、ＬＣＤ１６０は、有効食事平均の第２の構成値画面５２０を表示する。もう一度後退ボタン１２０を押すと、ＬＣＤ１６０は、有効食事平均の第３構成値画面５３０を表示する。もう一度後退ボタン１２０を押すと、エンドマーカ画面５４０が表示され、その直前に見た値がＥＭＡの最終値であったことを患者に知らせる。エンドマーカ画面５４０のときに、ユーザが後退ボタン１２０を押し下げると、ＬＣＤ１６０が有効食事平均画面５００に戻り、この時点で、患者は、有効食事平均値が導出されたすべての構成値を見たことになる。あるいは、このプロセスを必要なだけ繰り返して、いずれかの数の構成値を表示することもできる。また、構成値を、平均血中グルコースレベルとほぼ同時に（例えば、同一画面上で）表示することもでき、あるいは、平均血中グルコースレベルおよび構成値のそれぞれにラウンドロビン式に形成できる逐次ディスプレイ画面を使用して、平均血中グルコースレベルのほぼ直前および直後に表示することもできる。
【００３４】
本発明の一実施形態によれば、メータ１００のソフトウェア／プログラム命令内でＳｅｔｕｐ．Ａｖｅｒａｇｅ関数が「ＯＮ」のときに、有効食事平均の計算および表示がイネーブルになる。４つの有効食事平均時間枠に対応する４つの有効食事平均を順々に見られることが好ましい。有効食事平均の対象となる時間スパンは、その有効食事平均の中心時刻に前後１時間を加えたものとして定義される。例えば、「中心時刻」が午前７：１５の食事時間平均は、午前６：１５から午前８：１５までの血中グルコース読み値を対象とする。本発明の代替的な実施形態では、有効食事平均時間枠の中心時刻をユーザが設定可能である。
【００３５】
本発明の一実施形態によれば、各平均値が３つの読み値を使用して計算されることが好ましい。１日当たり１つの読み値が選択され、その時点で既にその時間ブロックの時間スパンに入っているか、またはその時間スパンを過ぎていた場合、その日から開始される。その時点でまだ指定された時間ブロック（例えば、ＥＭＡＴ）の対象となっている時間スパンがまだきていない場合、ソフトウェア／プログラム命令は、その前日の同一時間スパンから開始する。所与の１日の時間スパン内に２つ以上の読み値がある場合、ソフトウェア／プログラム命令は、マーク付きでない（ｕｎｍａｒｋｅｄ）最新の読み値を選択する。代替的な実施形態では、最初の読み値が選択される。対照溶液の読み値など、マーク付きの読み値は、平均値から除外され、図６に示したようにＬＣＤ１６０の３５０（図３）のところに「Ｃ」のマークが付けられる。除外すべき他のマーク付き読み値（例えば、患者の選択によるもの）には、「＊」でマークが付けられる。所与の１日で、その時間スパン内に読み値が見つからない場合、メータ１００のソフトウェア／プログラム命令は、その前日から読み値を探索する。ソフトウェア／プログラム命令は、探索される第１のおよび最新の時間スパンから最大５日分戻る。見つかった有効な読み値が３つよりも少ない場合、ソフトウェア／プログラム命令は、その食事時間平均については「−−−」が現れるようにディスプレイデバイス１６０を制御し、その時間ブロックから平均値の計算に利用可能な十分な数の読み値がなかったことを示す。有効読み値が３つある場合に、食事時間平均が計算される。
【００３６】
本発明の代替的な実施形態では、メータ１００は、患者にＥＭＡデータの標準偏差または他の統計パラメータを表示して、問題となっている有効食事平均時間枠についての平均値の変動性を示すことができる。この変動性の指標がＥＭＡ指標と呼ばれることが好ましい。そのような統計パラメータは、データに固有の変動性を表す、標準的なパラメータ（例えば、標準偏差、分散係数など）またはスカラ値（例えば、１から１０までのスケール値など）にすることができる。
【００３７】
ここで、図６および図７に描かれた、ディスプレイデバイス１６０上の例示的な一連のディスプレイ画面を参照する。画面０．０は、図６および図７全体を通じて示したように、ユーザによって選択されたモードに応じて選択的に情報が投入された、考えられる様々な画面領域を描いている。図６に全体が６０２で示された一連のディスプレイ画面は、個々の血中グルコース読み値を見るためのものであり、メモリボタン１３０を押し下げることによってアクセスされる。例えば、画面３．１は、最新のグルコース読み値である。前進キー１１０および後退キー１２０をそれぞれ使用して、メモリデバイス１９０内の最新の読み値（例えば、３０個の読み値）間をナビゲートすることができる。これらの画面は、格納された値が表示されていることを示す「ＭＥＭ」と、単位ｍｇ／ｄｌでのグルコースレベルと、読み値の日時とを含む。画面３．２および３．３は、それぞれ画面に「＊」および「Ｃ」で示したように、平均値算出に使用されないマーク付き読み値を示している。
【００３８】
図６に全体が６０４で示された一連のディスプレイ画面は、インシュリン注射を見るためのものであり、メータ１００のセットアップ時にインシュリンが「ＯＮ」に設定されたときにだけ見られることが好ましい。それらは、例えば、その時点のグルコース読み値が表示されているときにメモリボタン１３０を押し下げることによってアクセスすることができる。大きな数字が注射器アイコンと併せて示されており、ペン番号と、さらに「Ｕ」の字も併せて示されたインシュリン投与量とが、交互に表示される。また、注射の日時も示されている。
【００３９】
メモリボタン１３０をもう一度押し下げると７日間の平均読み値を得ることができ、さらにもう一度押し下げると１４日間の平均読み値を得ることができる。画面３．１４は、７日間の平均値を与えており、単位ｍｇ／ｄｌでの読み値と、「７日間」の表示とを含んでいる。スクリーン３．１５は、１４日間の平均値を与えており、単位ｍｇ／ｄｌでの読み値と、「１４日間」の表示とを含んでいる。
【００４０】
図７を参照すると、メモリボタン１３０をもう一度押し下げれば、時間ブロック平均値（例えば、ＥＭＡ）を得ることができる。第１の画面３．１６は、朝食時ＥＭＡを与える。ユーザは、前進キー１１０および後退キー１２０によって、スクリーン３．１７から３．１９の構成値を見ることができ、これらは、最近の３日間（例えば、２月１０日、１１日、１２日）にわたってそれぞれの日の朝食時ＥＭＡＴの間に取得された有効データを表している。メモリボタン１３０をもう一度押し下げると、昼食時ＥＭＡ画面３．２０が与えられる。ユーザは、前進キー１１０および後退キー１２０によって、画面３．２１から３．２３の構成値を見ることができ、これらは、最近の３日間（例えば、２月９日、１０日、および１１日）にわたってそれぞれの日の昼食時ＥＭＡＴの間に取得された有効データを表している。メモリボタン１３０をもう一度押し下げると、夕食時ＥＭＡ画面３．２４が与えられる。ユーザは、前進キー１１０および後退キー１２０によって、画面３．２５から３．２７の構成値を見ることができ、これらは、最近の３日間（例えば、２月９日、１１日、および１２日）にわたってそれぞれの日の夕食時ＥＭＡＴの間に取得された有効データを表している。前述したように、所与の日（例えば、２月１０日）に夕食時ＥＭＡＴについて利用可能な有効データがない場合、マイクロプロセッサ１７０がその前日である２月９日のデータを使用するようにプログラムされる。最後に、メモリボタン１３０をもう一度押し下げると、夜間ＥＭＡ画面３．２８が与えられる。ユーザは、前進キー１１０および後退キー１２０によって、画面３．２９から３．３１の構成値を見ることができ、これらは、最近の３日間（例えば、２月８日、１０日、および１２日）にわたってそれぞれの日の夜間ＥＭＡＴの間に取得された有効データを表している。
【００４１】
メモリボタンを押し下げることによる、表示モード（例えば、個々の血中グルコース読み値、インシュリン注射読み値、７日間の平均読み値、１４日間の平均読み値、および時間ブロック平均値（例えば、ＥＭＡ））間のトグリング（ｔｏｇｇｌｉｎｇ）を、図６および図７に示したものと異なる順序にすることができ、あるいは情報表示モードの数をより多くまたは少なくできることを理解すべきである。さらに、メータ１００には、情報表示モードのいずれかに直接アクセスできる様々なユーザボタンまたは他の入力デバイスを設けることができる（例えば、ＬＣＤ１６０上に与えられた情報ディスプレイオプションのメニューから選択する）。
【００４２】
以下は、本発明の一実施形態を実施する例示的なコードを表す。
【００４３】
１．１．１  食事時間平均ボタン関数
１．１．１．１  ｓｔａｔｉｃ  ＤｉｓｐｌａｙＭｅａｌＢａｒｓ（ｖｏｉｄ）
この関数は、食事バーアナンシエータ（ｍｅａｌ  ｂａｒ  ａｎｎｕｎｃｉａｔｏｒ）を表示する。
食事バー１、２、３アナンシエータをＯＮにする。
Ｉｆ  レコードカウンタ＝１
食事バー１アナンシエータの点灯をイネーブルにする。
食事バー２アナンシエータの点灯をディセーブルにする。
食事バー３アナンシエータの点灯をディセーブルにする。
Ｅｌｓｅ  ｉｆ  レコードカウンタ＝２
食事バー１アナンシエータの点灯をディセーブルにする。
食事バー２アナンシエータの点灯をイネーブルにする。
食事バー３アナンシエータの点灯をディセーブルにする。
Ｅｌｓｅ  ｉｆ  レコードカウンタ＝３
食事バー１アナンシエータの点灯をディセーブルにする。
食事バー２アナンシエータの点灯をディセーブルにする。
食事バー３アナンシエータの点灯をイネーブルにする。
【００４４】
１．１．１．２  ｓｔａｔｉｃ  ｖｏｉｄ  Ｍ＿ＵｉＭｅａｌＴｉｍｅＡｖｅｒａｇｅ（ＴＢＮｕｍ）
この関数は、時間ブロックの中心時刻および平均値を表示する。平均値を計算できない場合、メータは、「−−−」を表示する。
入力：ＴＢＮｕｍ、時間ブロック数
Ｓｅｔｕｐ．ＣＴｉｍｅ［ＴＢＮｕｍ］．Ｈｏｕｒｓを表示する。
Ｓｅｔｕｐ．ＣＴｉｍｅ［ＴＢＮｕｍ］．Ｍｉｎｕｔｅｓを表示する。
ＩｎｔｅｒｖａｌＡｖｅｒａｇｅルーチンを呼び出して、時間ブロック平均値を計算する。
Ｉｆ  ＩｎｔｅｒｖａｌＡｖｅｒａｇｅの結果＜０の場合、「−−−」を表示する。
Ｅｌｓｅ
ＩｎｔｅｒｖａｌＡｖｅｒａｇｅの結果を表示する。
レコードカウンタをクリアする。
ＤｉｓｐｌａｙＭｅａｌＢａｒｓを呼び出して、食事バーアナンシエータを表示する。
【００４５】
１．１．１．３  ｓｔａｔｉｃ  ｖｏｉｄ  ＬＵｉＭｅａｌＴｈｎｅＡｖｅｒａｇｅ（ＴＢＮｕｍ）
この関数は、平均値算出に使用されたより古いグルコースレコードまたは時間ブロック平均値を表示する。平均値を計算できない場合、メータは、「−−−」を表示する。
【００４６】
【表１】
2005537889.tif 000003
【００４７】
入力：ＴＢＮｕｍ、時間ブロック数
Ｉｆ  ＩｎｔｅｒｖａｌＡｖｅｒａｇｅの結果＞０
レコードカウンタをインクリメントする。
ディスプレイをクリアする。
Ｉｆ  レコードカウンタ＞４
レコードカウンタをクリアする。
Ｓｅｔｕｐ．ＣＴｉｍｅ［ＴＢＮｕｍ］．Ｈｏｕｒｓを表示する。
Ｓｅｔｕｐ．ＣＴｉｍｅ［ＴＢＮｕｍ］．Ｍｉｎｕｔｅｓを表示する。
ＩｎｔｅｒｖａｌＡｖｅｒａｇｅの結果を表示する。
ＤｉｓｐｌａｙＭｅａｌＢａｒｓを呼び出して、食事バーアナンシエータを表示する。
Ｅｌｓｅ  ｉｆ  レコードカウンタ＝４
「Ｅｎｄ」を表示する。
Ｅｌｓｅ
レコードカウンタによってインデックスが付けられたグルコースレコードを表示する。
ＤｉｓｐｌａｙＭｅａｌＢａｒｓを呼び出して、食事バーアナンシエータを表示する。
【００４８】
１．１．１．４  ｓｔａｔｉｃ  ｖｏｉｄ  Ｒ＿ＵｉＭｅａｌＴｈｎｅＡｖｅｒａｇｅ（１’ＢＮｕｍ）
この関数は、平均値算出に使用されたより新しいグルコースレコードまたは時間ブロック平均値を表示する。平均値を計算できない場合、メータは、「−−−」を表示する。
【００４９】
【表２】
2005537889.tif 000004
【００５０】
入力：ＴＢＮｕｍ、時間ブロック数
Ｉｆ  ＩｎｔｅｒｖａｌＡｖｅｒａｇｅの結果＞０
レコードカウンタをデクリメントする。
Ｉｆ  レコードカウンタ＜１
レコードカウンタをクリアする。
Ｓｅｔｕｐ．ＣＴｉｍｅ［ＴＢＮｕｍ］．Ｈｏｕｒｓを表示する。
Ｓｅｔｕｐ．ＣＴｉｍｅ［ＴＢＮｕｍ］．Ｍｉｎｕｔｅｓを表示する。
ＩｎｔｅｒｖａｌＡｖｅｒａｇｅの結果を表示する。
Ｅｌｓｅ
レコードカウンタによってインデックスが付けられたグルコースレコードを表示する。
ＤｉｓｐｌａｙＭｅａｌＢａｒｓを呼び出して、食事バーアナンシエータを表示する。
【００５１】
１．１．２  Ａ１時間ブロック平均値
メータは、Ｓｅｔｕｐ．ＡｖｅｒａｇｅがＯＮで、メータが１４日間平均値状態にあり、ユーザがモードボタンを１．５秒未満ホールドしたときに、この状態を入力する。
【００５２】
１．１．２．１  ｓｔａｔｉｃ  ｖｏｉｄ  ＭＵｉＭｅａｌＴｉｍｅ１Ａｖｅｒａｇｅ（ｖｏｉｄ）
Ｓｅｔ−ｕｐ．ＡｖｅｒａｇｅがＯＮの場合、この関数は、時間ブロック平均値を表示する。平均値を計算できない場合、メータは、「−−−」を表示する。Ｓｅｔ−ｕｐ．ＡｖｅｒａｇｅがＯＦＦの場合、この関数は、状態機械を個々のグルコース読み値レビュー状態にリセットする。
使用されるグローバルパラメータ：Ｓｅｔｕｐ．Ａｖｅｒａｇｅ
Ｉｆ  Ｓｅｔｕｐ．ＡｖｅｒａｇｅがＯＮ
Ｍ＿ＵｉＭｅａｌＴｉｍｅＡｖｅｒａｇｅ（０）を呼び出して、ブロック平均値を計算し、表示する。
Ｅｌｓｅ
ＵｉＳｔａｔｅ＝ｋＳｔａｔｅ１
Ｍ  ＵｉＲｅｃａｌｌＲｅｓｕｌｔｓを呼び出して、個々の血中グルコース読み値に戻る。
【００５３】
１．１．２．２  ｓｔａｔｉｃ  ｖｏｉｄ  Ｌ＿ＵｉＭｅａｌＴｉｍｅ１Ａｖｅｒａｇｅ（ｖｏｉｄ）
この関数は、平均値算出に使用されたより古いグルコースレコードまたは時間ブロック平均値を表示する。平均値を計算できない場合、メータは、「−−−」を表示する。
Ｌ  ＵｉＭｅａｌＴｉｍｅＡｖｅｒａｇｅ（０）を呼び出して、より古い平均化グルコースレコードを表示する。
【００５４】
１．１．２．３  ｓｔａｔｉｃ  ｖｏｉｄ  Ｒ＿ＵｉＭｅａｌＴｉｍｅ１Ａｖｅｒａｇｅ（ｖｏｉｄ）
この関数は、平均値算出に使用されたより新しいグルコースレコードまたは時間ブロック平均値を表示する。平均値を計算できない場合、メータは、「−−−」を表示する。
Ｒ＿ＵｉＭｅａｌＴｉｍｅＡｖｅｒａｇｅ（０）を呼び出して、より新しい平均化グルコースレコードを表示する。
【００５５】
１．１．３  Ａ２時間ブロック平均値
メータは、メータがＡ１時間ブロック平均値状態にあり、ユーザがモードボタンを１．５秒未満ホールドしたときに、この状態を入力する。
【００５６】
１．１．３．１  ｓｔａｔｉｃ  ｖｏｉｄ  Ｍ＿ＵｉＭｅａｌＴｉｍｅ２Ａｖｅｒａｇｅ（ｖｏｉｄ）
この関数は、時間ブロック平均値を表示する。平均値を計算できない場合、メータは、「−−−」を表示する。
Ｍ＿ＵｉＭｅａｌＴｉｍｅＡｖｅｒａｇｅ（１）を呼び出して、ブロック平均値を計算し、表示する。
【００５７】
１．１．３．２  ｓｔａｔｉｃ  ｖｏｉｄ  Ｌ＿ＵｉＭｅａｌＴｉｍｅ２Ａｖｅｒａｇｅ（ｖｏｉｄ）
この関数は、平均値算出に使用されたより古いグルコースレコードまたは時間ブロック平均値を表示する。平均値を計算できない場合、メータは、「−−−」を表示する。
Ｌ＿ＵｉＭｅａｌＴｉｍｅＡｖｅｒａｇｅ（１）を呼び出して、より古い平均化グルコースレコードを表示する。
【００５８】
１．１．３．３  ｓｔａｔｉｃ  ｖｏｉｄ  Ｒ＿ＵｉＭｅａＩＴｉｍｅ２Ａｖｅｒａｇｅ（ｖｏｉｄ）
この関数は、平均値算出に使用されたより新しいグルコースレコードまたは時間ブロック平均値を表示する。平均値を計算できない場合、メータは、「−−−」を表示する。
Ｒ＿ＵｉＭｅａｌＴｉｍｅＡｖｅｒａｇｅ（１）を呼び出して、より新しい平均化グルコースレコードを表示する。
【００５９】
１．１．４  Ａ３時間ブロック平均値
メータは、メータがＡ２時間ブロック平均値状態にあり、ユーザがモードボタンを１．５秒未満ホールドしたときに、この状態を入力する。
【００６０】
１．１．４．１  ｓｔａｔｉｃ  ｖｏｉｄ  ＭＵｉＭｅａｌＴｉｍｅ３Ａｖｅｒａｇｅ（ｖｏｉｄ）
この関数は、時間ブロック平均値を表示する。平均値を計算できない場合、メータは、「−−−」を表示する。
Ｍ＿ＵｉＭｅａｌＴｉｍｅＡｖｅｒａｇｅ（２）を呼び出して、ブロック平均値を計算し、表示する。
【００６１】
１．１．４．２  ｓｔａｔｉｃ  ｖｏｉｄ  Ｌ＿ＵｉＭｅａｌＴｉｍｅ３Ａｖｅｒａｇｅ（ｖｏｉｄ）
この関数は、平均値算出に使用されたより古いグルコースレコードまたは時間ブロック平均値を表示する。平均値を計算できない場合、メータは、「−−−」を表示する。
Ｌ＿ＵｉＭｅａｌＴｉｍｅＡｖｅｒａｇｅ（２）を呼び出して、より古い平均化グルコースレコードを表示する。
【００６２】
１．１．４．３  ｓｔａｔｉｃ  ｖｏｉｄ  Ｒ＿ＵｉＭｅａｌＴｉｍｅ３Ａｖｅｒａｇｅ（ｖｏｉｄ）
この関数は、平均値算出に使用されたより新しいグルコースレコードまたは時間ブロック平均値を表示する。平均値を計算できない場合、メータは、「−−−」を表示する。
Ｒ＿ＵｉＭｅａｌＴｉｍｅＡｖｅｒａｇｅ（２）を呼び出して、より新しい平均化グルコースレコードを表示する。
【００６３】
１．１．５  Ａ４時間ブロック平均値
メータは、メータがＡ３時間ブロック平均値状態にあり、ユーザがモードボタンを１．５秒未満ホールドしたときに、この状態を入力する。この状態でモードボタンが１．５秒未満ホールドされると、状態機械が個々の血中グルコース結果レビュー状態にリセットされる。
【００６４】
１．１．５．１  ｓｔａｔｉｃ  ｖｏｉｄ  Ｍ＿ＵｉＭｅａｌＴｉｍｅ４Ａｖｅｒａｇｅ（ｖｏｉｄ）
この関数は、時間ブロック平均値を表示する。平均値を計算できない場合、メータは、「−−−」を表示する。
Ｍ＿ＵｉＭｅａｌＴｉｍｅＡｖｅｒａｇｅ（３）を呼び出して、ブロック平均値を計算し、表示する。
【００６５】
１．１．５．２  ｓｔａｔｉｃ  ｖｏｉｄ  Ｌ＿ＵｉＭｅａｌＴｉｍｅ４Ａｖｅｒａｇｅ（ｖｏｉｄ）
この関数は、平均値算出に使用されたより古いグルコースレコードまたは時間ブロック平均値を表示する。平均値を計算できない場合、メータは、「−−−」を表示する。
ＬＵｉＭｅａｌＴｉｍｅＡｖｅｒａｇｅ（３）を呼び出して、より古い平均化グルコースレコードを表示する。
【００６６】
１．１．５．３  ｓｔａｔｉｃ  ｖｏｉｄ  Ｒ＿ＵｉＭｅａｌＴｉｍｅ４Ａｖｅｒａｇｅ（ｖｏｉｄ）
この関数は、平均値算出に使用されたより新しいグルコースレコードまたは時間ブロック平均値を表示する。平均値を計算できない場合、メータは、「−−−」を表示する。
ＲＵｉＭｅａｌＴｉｍｅＡｖｅｒａｇｅ（３）を呼び出して、より新しい平均化グルコースレコードを表示する。
【００６７】
本発明をその好適実施形態に即して記載したが、本発明がそれらの細部に制限されないことが理解されよう。当業者には、様々な変形形態および代替形態が思い付くであろう。そのようなすべての代替形態を、特許請求の範囲で定義される本発明の範囲内に含めるものとする。
【図面の簡単な説明】
【００６８】
【図１】本発明の一実施形態による例示的な血中グルコースメータの斜視図である。
【図２】図１の血中グルコースメータのブロック図である。
【図３】本発明の一実施形態による血中グルコースメータのためのディスプレイ構成を示す図である。
【図４】本発明の一実施形態による有効食事平均の構成値を選択する動作シーケンスを示すフローチャートである。
【図５】本発明の一実施形態による有効食事平均およびその構成値を伝達するためのディスプレイを形成する動作シーケンスを示すフローチャートである。
【図６】本発明の一実施形態による血中グルコースメータによって形成された例示的な一連の画面を示す図である。
【図７】本発明の一実施形態による血中グルコースメータによって形成された例示的な一連の画面を示す図である。
【図１】
2005537889.tif 000005
【図２】
2005537889.tif 000006
【図３】
2005537889.tif 000007
【図４】
2005537889.tif 000008
【図５】
2005537889.tif 000009
【図６】
2005537889.tif 000010
【図７】
2005537889.tif 000011
【国際調査報告】
2005537889.tif 000012